(57)【特許請求の範囲】
【請求項１】
建物の奥まったベランダの天井と床との間に縦横のフレームで構成された矩形状のフレーム体を架設し、同フレーム体にネットを張設し、同ネットの下方位置に植物を植え付けた栽培器を設置し、同栽培器の植物をネットに絡ませて上方へ生長できるようにしたベランダ緑化装置であって、前記フレーム体を上フレームと下フレームとに分割し、下位フレームを直立させた状態で上フレームが室内側へのみ傾倒できるように上下のフレーム同士を枢支して折り畳み可能にし、ベランダの天井にストッパを設け、同ストッパと室内側で係止する係止具を上フレームの上端に設け、係止具とストッパとを連結する連結手段を設け、同連結手段による連結をベランダの外側から解除操作できる解除手段を設けたことを特徴とする、ベランダ緑化装置。
【請求項２】
ストッパと係止具がそれぞれ環状のもので、連結手段がストッパと係止具に紐材を連通して馬結びで連結したもので、解除手段が前記紐材の一端をベランダの外側に長く伸ばしたもので、同紐材の一端をベランダの外側から引張することで前記馬結びを解いて上フレームを室内側へ傾倒できるようにした、請求項１記載のベランダ緑化装置。
【発明の詳細な説明】
【技術分野】
【０００１】
本発明は、建物の奥まったベランダの開口部分を緑化するベランダ緑化装置に関する。
【背景技術】
【０００２】
従来、建物の外側を緑化する方法としては、建物の壁面に作業用の足場を仮設し、植物を植え付けたプランターと植物を絡ませるネット等を壁面に対して設置作業し、その後足場を撤去する方法がある。しかし、この方法は作業後に足場を撤去する手間を要し、また、メンテナンスの際はその都度足場を仮設・撤去しなければならず、設置及び維持コストがかかる問題があった。
【０００３】
これに対し、作業に足場を使用しない壁面緑化方法が特許文献１で提案されている。この技術は、格子状に組まれたＰＣ鋼線に植物を植え付けた多数のプランターを取り付け、このＰＣ鋼線を建物の屋上から壁面を覆うように吊下して地上に固定している。しかし、この技術ではメンテナンス時に足場を仮設・撤去しなければならず、依然維持コストがかかる問題があった。
【０００４】
また、従来の各技術で使用する部材は撤去時以外は恒久的に取り付けるものであるから、火災の際にネットやＰＣ鋼線が邪魔となって消防士が現場の室内へ進入できないか又は迅速に進入し難くなり、消防活動の障害となる問題があった。
【特許文献１】特開２００２−２７２２７４号公報
【発明の開示】
【発明が解決しようとする課題】
【０００５】
本発明が解決しようとする課題は、従来のこれらの問題点を解消し、設置及び維持コストを低減でき、しかも火災の際に消防士が現場の室内へ進入し易いベランダ緑化装置を提供することにある。
【課題を解決するための手段】
【０００６】
かかる課題を解決した本発明の構成は、
１）  建物の奥まったベランダの天井と床との間に縦横のフレームで構成された矩形状のフレーム体を架設し、同フレーム体にネットを張設し、同ネットの下方位置に植物を植え付けた栽培器を設置し、同栽培器の植物をネットに絡ませて上方へ生長できるようにしたベランダ緑化装置であって、前記フレーム体を上フレームと下フレームとに分割し、下位フレームを直立させた状態で上フレームが室内側へのみ傾倒できるように上下のフレーム同士を枢支して折り畳み可能にし、ベランダの天井にストッパを設け、同ストッパと室内側で係止する係止具を上フレームの上端に設け、係止具とストッパとを連結する連結手段を設け、同連結手段による連結をベランダの外側から解除操作できる解除手段を設けたことを特徴とする、ベランダ緑化装置
２）  ストッパと係止具がそれぞれ環状のもので、連結手段がストッパと係止具に紐材を連通して馬結びで連結したもので、解除手段が前記紐材の一端をベランダの外側に長く伸ばしたもので、同紐材の一端をベランダの外側から引張することで前記馬結びを解いて上フレームを室内側へ傾倒できるようにした、前記１）記載のベランダ緑化装置
にある。
【発明の効果】
【０００７】
本発明によれば、架設したフレーム体のネットに植物を絡ませながら生長させてフレーム体自体を緑化するから、設置後に撤去する部材がなく、設置コストを低減できる。メンテナンスはベランダで任意の箇所を安全に作業でき、その都度足場を仮設・撤去する必要がなく、維持コストも低減できる。
【０００８】
また、架設したフレーム体が室内側へのみ折り畳み可能であるから、火災の際に消防士が連結手段をベランダの外側から解除操作することで上フレームを室内側へ押して容易に傾倒でき、ベランダから現場の室内へ迅速に進入して消防活動できるようになる。
【発明を実施するための最良の形態】
【０００９】
本発明の連結手段としては、紐材を用いる方法が低コストで実施できるが、金具等を用いてもよい。栽培器としては、土壌を充填したプランターや育苗ポット等が用いられる。植物としては、ネットに絡みながら上方へ生長する生長の速いゴーヤやアサガオ等のツル性の植物が用いられる。また、栽培器に水や液肥等を供給する手段を別途設けてもよい。以下、本発明の実施例を図面に基づいて具体的に説明する。
【実施例１】
【００１０】
図１〜４に示す実施例は、マンションの奥まったベランダに本発明のベランダ緑化装置を設置した例である。図１は実施例のベランダ緑化装置の側面図、図２は実施例のベランダ緑化装置の正面図、図３は実施例の連結手段と解除手段の説明図、図４は実施例の連結手段の解除と上フレームの傾倒を示す説明図である。
【００１１】
図中、１は建物、２はベランダ、２ａは天井、２ｂは床、２ｃは手摺り、３はフレーム体、３ａは上フレーム、３ｂは下フレーム、３ｃは蝶番、４はネット、５はストッパ、６は係止具、７は紐材、７ａは馬結び部、７ｂは拘束具、８は栽培器、９は土台、Ｐは植物である。
【００１２】
本実施例のベランダ緑化装置は、図１，２に示すように建物１の奥まったベランダ２の天井２ａと床２ｂとの間に縦横のフレームで構成された矩形状のフレーム体３を架設し、フレーム体３にネット４を張設し、ネット４の下方位置に栽培器８を土台９で所定高さに設置している。ネット４はポリエステル樹脂等の耐久性に優れ且つ弾性を有する材料を用いている。栽培器８には土壌を充填して植物Ｐを植え付けている。
【００１３】
フレーム体３は、上フレーム３ａと下フレーム３ｂとに分割し、上フレーム３ａが室内側へのみ傾倒できるように上フレーム３ａと下フレーム３ｂとを室内側に取り付けた蝶番３ｃで枢支して折り畳み可能にしている。上フレーム３ａの長さは、ベランダ２の奥行きより短く形成している。
【００１４】
連結手段と解除手段は、図３に示すようにベランダ２の天井２ａに環状のストッパ５を取り付け、ストッパ５と室内側で係止する環状の係止具６を上フレーム３ａの上端に取り付け、ストッパ５と係止具６に紐材７を連通して馬結びで連結し、紐材７の一端をベランダ２の外側に長く伸ばし、その途中を外壁に二又釘等の拘束具７ｂで引張可能に拘束している。紐材７はポリエステル等で構成されている。
【００１５】
本実施例では、栽培器８の植物Ｐがネット４に絡みながら上方へ生長し、ベランダ２の開口部分が緑化される。メンテナンスはベランダ２で任意の箇所を容易に行え、撤去や新たな設置作業もベランダ２で安全に行える。火災が発生した場合は消防士がハシゴで現場階上に昇り、図４に示すように消防士がベランダ２の外側に有する紐材７を引張して馬結び部７ａを解くことで、上フレーム３ａを室内側へ押して容易に傾倒でき、ベランダ２から室内へ迅速に進入して消防活動できる。
【産業上の利用可能性】
【００１６】
本発明のベランダ緑化装置は、電力需要の最も多い期間だけ遮熱して高層階の建物の蓄熱を低減する季節限定の温暖化防止策に有用である。
【図面の簡単な説明】
【００１７】
【図１】実施例のベランダ緑化装置の側面図である。
【図２】実施例のベランダ緑化装置の正面図である。
【図３】実施例の連結手段と解除手段の説明図である。
【図４】実施例の連結手段の解除と上フレームの傾倒を示す説明図である。
【符号の説明】
【００１８】
１  建物
２  ベランダ
２ａ  天井
２ｂ  床
２ｃ  手摺り
３  フレーム体
３ａ  上フレーム
３ｂ  下フレーム
３ｃ  蝶番
４  ネット
５  ストッパ
６  係止具
７  紐材
７ａ  馬結び部
７ｂ  拘束具
８  栽培器
９  土台
Ｐ  植物
【図１】
0004819076.tif 000002
【図２】
0004819076.tif 000003
【図３】
0004819076.tif 000004
【図４】
0004819076.tif 000005